(57)【要約】  【課題】背中に背負うリュック等の袋体に保冷材や保温材を保持して、背負いながら保冷効果もしくは保温効果が得られるようにすること。  【解決手段】本発明にかかる袋体では、背中に背負うように構成された袋体に、保温材もしくは保冷材を保持する保持手段を形成した。前記袋体は、リュック（リュックサック）、ディバッグ、ランドセル等、種々の袋状のものとする。背中に背負う手段としては、紐やベルトやチェーンやフック等種々の手段を採用できる。保温材や保冷材としては、比熱が大きい蓄熱材を用いたり、吸熱作用や発熱作用を持つ材料を採用できる。【選択図】      図２
2005334561.tif 000002
【特許請求の範囲】
【請求項１】
背中に背負うように構成された袋体に、
保温材もしくは保冷材を保持する保持手段を形成したことを特徴とする袋体。
【請求項２】
前記保持手段は、前記袋体を背負った人体の背中に接触する側に配設したことを特徴とする請求項１に記載の袋体。
【請求項３】
前記袋体を背負った人体の背中に接触しない側に、断熱材を配設したことを特徴とする請求項１に記載の袋体。
【請求項４】
前記保持手段は、保温材もしくは保冷材を出し入れするための開閉手段を備えていることを特徴とする請求項１、２、３の何れか１項に記載の袋体。
【発明の詳細な説明】
【技術分野】
【０００１】
本発明は、背中に背負うように構成されたリュックやディーパック等の背負い式袋体に関するものである。
【背景技術】
【０００２】
従来より、リュックやディーパック等の背負い式の袋体にハンカチ等の小物を入れて子供に背負わせて外出したり、衣類や食材等を入れてハイキングに出かけたりすることがある。
一方、外出先で子供が熱を出してしまったり、ハイキングの途中で熱くなったりしたときにきは、熱をさますシートを身体に貼り付けたり、保冷材を服の上から身体に当てたりして熱を冷ますことがある。また、冷ますこととは逆に、寒いときには酸化反応による発熱効果や蓄熱材を用いた保温材を服の上から当てることもある。
【発明の開示】
【発明が解決しようとする課題】
【０００３】
上述したような保冷材や保温材を身体に当て続けることは困難であり、また、適宜交換することも面倒であった。
【０００４】
そこで、本発明は、背中に背負う袋体に保冷材や保温材を保持して、背負いながら保冷効果もしくは保温効果が得られるようにすることを目的としてなされたものである。
【課題を解決するための手段】
【０００５】
本発明にかかる袋体の請求項１においては、背中に背負うように構成された袋体に、保温材もしくは保冷材を保持する保持手段を形成した。
前記袋体は、リュック（リュックサック）、ディバッグ、ランドセル等、種々の袋状のものとする。背中に背負う手段としては、紐やベルトやチェーンやフック等種々の手段を採用できる。保温材や保冷材としては、比熱が大きい蓄熱材を用いたり、吸熱作用や発熱作用を持つ材料を採用できる。
請求項２では、前記保持手段は、前記袋体を背負った人体の背中に接触する側に配設した。
【０００６】
請求項３では、前記袋体を背負った人体の背中に接触しない側に、断熱材を配設した。
請求項４では、前記保持手段は、保温材もしくは保冷材を出し入れするための開閉手段を備えている。
【発明の効果】
【０００７】
本発明では、背中に背負うように構成された袋体に、保温材もしくは保冷材を保持する保持手段を形成したので、温めるときには保温材を保持し、冷ますときには保冷材を保持して利用することができる。
請求項２では、前記保持手段は、前記袋体を背負った人体の背中に接触する側に配設したので、効果的に温めたり冷ましたりすることができる。
【０００８】
請求項３では、前記袋体を背負った人体の背中に接触しない側に、断熱材を配設したこので、保温材もしくは保冷材を長時間利用することができる。
請求項４では、前記保持手段は、保温材もしくは保冷材を出し入れするための開閉手段を備えているので、出し入れしたあと、こぼれ落ちることを防止することができる。
【発明を実施するための最良の形態】
【０００９】
以下に、本発明にかかる袋体を、その実施の形態を示した図面に基づいて詳細に説明する。
図１は、本発明にかかる袋体としてのリュックの斜視図である。
この図１において、１は袋体としてのリュックであり、背負うための２本の紐２、３を備えているとともに、内部の収納部４の開口５を覆うためのカバー６を備えている。
【００１０】
そして、前記リュック１を背負った人体の背中に接触する側には、保持手段としての保持部７が形成されている。
この保持部７は、図２に示したように、前記リュック１の背中側に形成された空間であり、保持部７と収納部４との間には断熱材８が配設されており、保持部７の背中側にはメッシュ地や布地等の熱伝導性の良いカバー９が配設されている。
【００１１】
前記保持部７の側縁には開閉手段としてのファスナー71が備えられており、他の縁は逢着されている。
そして、子供の熱を冷ますときには、前記ファスナー71を開いて冷やした蓄冷材や水等の保冷材Ａを入れて、閉じる。
以上のようにして保持部７に保冷材Ａを入れた状態で背負うと、背中が冷まされるので、発熱した場合や、暑い場合によい。
上述したような保冷材に代えて温めた蓄熱材やお湯や発熱材等の保温材を入れて温めることもできる。
なお、前記カバー９としては、通気性の良いメッシュ地や、肌触りのよい布地や、吸湿性の優れた素材を用いることができる。また、厚さを調節して冷え過ぎないようにしたり、熱すぎないようにすることもできる。
前記断熱材８を備えることによって、リュック１の収納部４の内部が不必要に冷やされたり温められたりすることは防止される。また、前記断熱材８の表面にはアルミ箔等を配設して断熱効果を高めても良い。
また、図３、４に示したように、リュック１'の両脇に保冷材等を入れるための収納部として予備保持部７'を設けても良い。この予備保持部を使用しないときには、図３に示したように、リュックの両脇に添わせ、保冷材１０'を入れて使用するときには、図４に示したように、身体の脇の下に来るようにセットする。子供の発熱を冷ます場合には、両脇の下を冷ますことが効果的であるので、図４のようにして、両脇の下を冷ますのである。このとき、図４の状態を保つために、予備保持部７'に紐を付けて身体の前で結んでも良い。
【００１２】
前記リュック１には収納部４を備えていなくてもよい。また、背負うための２本の紐２、３の内側にも保冷材もしくは保温材を装着できるようにしてもよい。また、前記リュック１の表面にソーラーパネルを配設し、収納部４には蓄電池を配設し、保持部７には、それらの電気エネルギーで駆動する電子冷却ユニットを備えても良い。
【産業上の利用可能性】
【００１３】
本発明の袋体は、子供の発熱を冷ますためだけでなく、大人が暑いときの冷却や寒いときの保温に利用することもできる。
【図面の簡単な説明】
【００１４】
【図１】本発明にかかる袋体の実施の形態の斜視図である。
【図２】図１の袋体の側面断面図である。
【図３】本発明にかかる袋体の別の実施形態の斜視図である。
【図４】図３のリュックの使用状態の斜視図である。
【符号の説明】
【００１５】
１  リュック、袋体
４  収納部
７  保持部、保持手段
71  ファスナー、開閉手段
８  断熱材
Ａ  保冷材、保温材
【図１】
2005334561.tif 000003
【図２】
2005334561.tif 000004
【図３】
2005334561.tif 000005
【図４】
2005334561.tif 000006